(57)【要約】【課題】  遊技媒体貯留装置本体への遊技媒体の回収ができない状態となったときに、遊技媒体使用機から排出された遊技媒体が、回収手段上に蓄積されることを防止する。【解決手段】  遊技島４に複数並設されたスロットマシン６やメダル貸機８から排出されるメダルをコンベア１４が、それの一方の端部側にあるメダル補給装置２に回収する。コンベア１４は、正逆方向に切り換え可能で、メダル補給装置２への回収が不能なとき、コンベア１４を逆転させ、コンベヤ１４の他方の端部に設けた移動タンク６０にメダルを回収する。【選択図】        図１
2010057592.tif 000002
【特許請求の範囲】
【請求項１】
遊技島に複数並設された遊技媒体使用機から排出される遊技媒体を回収するコンベア手段と、
このコンベア手段の一方の端部から排出される前記遊技媒体を受け入れ貯留する第１の貯留手段を含む貯留装置本体と、
を有する遊技媒体貯留システムであって、
前記コンベア手段は、正逆方向に切り換え駆動可能とされるとともに、
前記コンベア手段の他方の端部から排出される遊技媒体を受け入れ貯留する第２の貯留手段を設けた遊技媒体貯留システム。
【請求項２】
請求項１に記載の遊技媒体貯留システムにおいて、
前記第１の貯留手段が、前記コンベア手段から排出される前記遊技媒体を受け入れ可能な場合には、前記コンベア手段を第１の貯留手段側に駆動し、
前記第１の貯留手段が、前記コンベア手段から排出される前記遊技媒体を受け入れ不能であり、かつ、前記第２の貯留手段が、前記コンベア手段から排出される前記遊技媒体を受け入れ可能な場合には、前記コンベア手段を第２の貯留手段側に駆動する遊技媒体貯留システム。
【請求項３】
請求項１または２に記載の遊技媒体貯留システムにおいて、
前記貯留装置本体は、前記遊技媒体を洗浄する洗浄手段と、前記第１の貯留手段に貯留した前記遊技媒体を前記遊技媒体使用機に補給する補給手段との、少なくとも一方を備える遊技媒体貯留システム。
【請求項４】
請求項１乃至３いずれかに記載の遊技媒体貯留システムにおいて、
前記第２の貯留手段は、貯留した遊技媒体を前記コンベア手段に戻す返却手段を有する遊技媒体貯留システム。
【請求項５】
請求項４に記載の遊技媒体貯留システムであって、
前記第２の貯留手段の遊技媒体貯留量を検知する貯留量検知手段を備え、
この貯留量検知手段の検知結果を元に、前記返却手段を駆動制御する遊技媒体貯留システム。
【発明の詳細な説明】
【技術分野】
【０００１】
本発明は、複数並設されたスロットマシン、メダル貸機、パチンコ台、玉貸機のような遊技媒体使用機から排出されるメダル、パチンコ玉のような遊技媒体を、回収し貯留する遊技媒体貯留システムに関する。
【背景技術】
【０００２】
従来、上記のような遊技媒体貯留システムには、特許文献１、２に開示されているようなものがある。特許文献１の技術は、スロットマシンから排出されたメダルを回収コンベアで回収し、バケット式回収リフターに供給するもので、バケットが満杯になった場合、回収コンベアを逆回転させることで、バケットへのメダル供給を瞬時に止めている。これによって、満杯になったバケットからメダルが溢れてバケットと機枠間に詰まり、リフター停止等の故障を招くことを防止している。
【０００３】
特許文献２の技術も、スロットマシンから排出されたメダルを回収コンベアで回収し、回収リフターに供給するもので、回収コンベアの先端に、回収リフターの故障等により回収コンベア上を水平方向に揺動するフラッパーフラッパーを配設し、回収コンベアから分岐させたメダルを運搬型の副回収ボックスに回収している。これによって、回収リフターからメダルが溢れることを防止している。
【０００４】
【特許文献１】実公平６−２７１５号公報
【特許文献２】実開平３−３１４８３号公報
【発明の開示】
【発明が解決しようとする課題】
【０００５】
特許文献１の技術では、回収リフターへのメダル供給を即座に停止するために、回収コンベアの停止に伴い、回収コンベアを一時的に逆回転させている。逆回転させる時間は、回収コンベアが所定距離または所定時間動作する間だけであり、回収不能となった場合に回収コンベアを実質停止させるものである。回収コンベアが停止している間にも、スロットマシンからメダルが排出し続けられるので、停止した回収コンベア上に排出メダルが蓄積されることとなり、不都合である。
【０００６】
特許文献２の技術では、この点が改良され、回収リフトにメダルを供給できない場合でも回収コンベアの動作を停止することなく、回収したメダルを回収コンベア上のフラッパーにより、副回収ボックスに回収することができる。しかし、フラッパーとその駆動機構が新たに必要となる。また、回収コンベア上を水平方向に揺動するフラッパーを使用するので、フラッパーと回収コンベアの隙間を常にメダル１枚分の厚み以下とすることが困難であり、回収リフトへのメダル供給を完全に停止できない場合がある。また、回収コンベアには、スロットマシンをオーバーフローしたメダルが排出されるが、オーバーフローするタイミングやメダル量を把握したりコントロールしたりすることはできないので、フラッパーを作動させたときに、フラッパーと回収コンベア上面の間や、フラッパーと回収コンベア側壁の間にメダルを噛み込んでしまう場合がある。このような場合も、回収リフトへのメダル供給を完全に停止できない。このような課題は、フラッパーを上下昇降式とした場合も同様である。また、副回収ボックスに回収されたメダルは、係員の手作業により別途処理しなければならず、係員の手間が増大するという課題もある。
【０００７】
本発明は、回収リフトに遊技媒体を供給できない場合でも、回収が可能であって、しかも遊技媒体が噛み込んだりすることがない遊技媒体回収システムを提供することを目的とする。
【課題を解決するための手段】
【０００８】
本発明の一態様の遊技媒体回収システムは、コンベア手段を有している。このコンベア手段は、遊技島に複数並設された遊技媒体使用機から排出される遊技媒体を回収する。このコンベア手段の一方の端部から排出される前記遊技媒体を受入れ、貯留する第1の貯留手段を、貯留装置本体が含んでいる。前記コンベア手段は、正逆方向に切り換え駆動可能である。前記コンベヤ手段の他方の端部から排出される遊技媒体を受入れ、貯留する第２の貯留手段が設けられている。
【０００９】
前記第１の貯留手段が、前記コンベア手段から排出される前記遊技媒体を受入れ可能な場合には、前記コンベア手段を第１の貯留手段側に駆動することができる。前記第１の貯留手段が、前記コンベア手段から排出される前記遊技媒体を受入れ不能であり、かつ、前記第２の貯留手段が前記コンベア手段から排出される前記遊技媒体を受入れ可能な場合には、前記コンベア手段を第２の貯留手段側に駆動する。
【００１０】
更に、上記２つの態様において、前記貯留装置本体は、前記遊技媒体を洗浄する洗浄手段と、前記第１の貯留手段に貯留した前記遊技媒体を前記遊技媒体使用機に補給する補給手段との、少なくとも一方を備えたものとすることができる。
【００１１】
上記の各態様にいずれかにおいて、前記第２の貯留手段は、貯留した遊技媒体を前記コンベア手段に戻す返却手段を有するものとすることができる。
【００１２】
更に、前記第２の貯留手段の遊技媒体貯留量を検知する貯留量検知手段を備えることもできる。この場合、この貯留量検知手段の検知結果を元に、前記返却手段を駆動制御する。
【発明の効果】
【００１３】
以上のように、本発明の遊技媒体貯留システムによれば、第１の貯留手段を含む遊技媒体貯留装置本体への遊技媒体の回収ができない状態となったときには、フラッパー等の機構を使用することなく、遊技媒体貯留装置本体への遊技媒体回収を完全に停止することができるとともに、回収手段を逆転させて第２の貯留手段に遊技媒体を回収するので、遊技媒体使用機から排出された遊技媒体が、回収手段上に蓄積されるなどの不具合を生じることがない。また、遊技媒体貯留装置本体への回収が可能となったときには、第２の貯留手段に回収した遊技媒体を、遊技媒体貯留装置本体へ自動的に移送可能とできるので、係員の作業負担を低減することができる。
【発明を実施するための最良の形態】
【００１４】
本発明の第１実施形態の遊技媒体貯留システムは、図１に示すように、遊技媒体貯留装置本体、例えばメダル補給装置２を有している。メダル補給装置２は、遊技島４に設置されている。遊技島４は、遊技媒体使用機、例えばスロットマシン６を横方向に複数台並べて配置したものである。これらスロットマシン６の側方に、遊技媒体使用機、例えばメダル貸機８が設けられている。遊技島４は、両側にスロットマシン６とメダル貸機８とを並べた両島と呼ばれる形態のものと、片側のみにスロットマシン６とメダル貸機８とを並べた片島と呼ばれる形態のものとがある。必要に応じていずれかの形態の遊技島が選択される。
【００１５】
スロットマシン６またはメダル貸機８のうち、内部に貯留していた遊技媒体、例えばメダルの量がそれぞれに予め定めた量よりも少なくなったものでは、これらに設けられたセンサ（図示せず）が補給要求信号、例えばエンプティ信号を発生する。これが、メダル補給装置２に供給され、エンプティ信号を発生したスロットマシン６またはメダル貸機８にメダル補給装置２からメダルが補給される。
【００１６】
メダル補給装置２は、遊技島４の一方の端部に設けられている。メダル補給装置２は、図１に示すように、回収手段の一部、例えばメダル計数機１０を載置するための載置台１２を備えた載置台付きのものである。
【００１７】
遊技島４において、スロットマシン６とメダル貸機８との下方に、これらの配列方向に沿ってコンベア手段、例えば回収コンベア１４が、ほぼ水平に設けられている。回収コンベア１４は、遊技島４の一端部から他端部まで配置され、その上面でメダルを支持して搬送する。回収コンベア１４は、正逆転可能とされ、正転されることにより、スロットマシン６やメダル貸機８から排出されたメダルは、図１の左方向に搬送され、メダル補給装置２内のバケット１６に貯留される。バケット１６に貯留されたメダルは、中間コンベア１８、洗浄ユニット２２、メインリフト２４、分配シュート２６によって、他の遊技島のメダル補給装置に掛け渡されている島渡しコンベア３２または補給タンク３６に貯留される。補給タンク３６をオーバーフローしたメダルは、上タンク４２に貯留される。これらバケット１６、洗浄ユニット２２、補給タンク３６、上タンク４２が、メダル補給装置２の第１の貯留手段を形成する。
【００１８】
メダル補給装置２と反対側の遊技島４の端部の下部に、第２の貯留手段としての移動タンク６０が設置されている。回収コンベア１４の他方の端部（図１の右側端部）は、移動タンク６０の上方に位置するように配置されている。
【００１９】
回収コンベア１４が逆転されると、スロットマシン６やメダル貸機８から排出されたメダルは、図１の右方向に搬送され、移動タンク６０に貯留される。貯留量検知手段、例えば満杯センサ６２が移動タンク６０の上方に設けられている。この満杯センサ６２は、メダルが金属製であることを利用した導通センサであって、移動タンク６０にメダルがほぼ満杯貯留されたとき、メダルに接触し、移動タンク６０が満杯であることを検知する。移動タンク６０はキャスター付きのメダル貯留用タンクで、遊技島の妻板や腰板に設けた開口（図示なし）から島外に引き出すことができる。移動タンク６０が島外に引き出されたことを検知するタンク引き出しセンサ６４が遊技島４内に設けられている。タンク引き出しセンサ６４は、例えば、移動タンク６０の側面部に接触するマイクロスイッチとすることができる。島端上部に表示器６６が設置され、移動タンク６０が満杯となったり、または、移動タンク６０が引き出されたことを、発光により報知する。
【００２０】
また、遊技者の遊技の結果、スロットマシン６から払い出された賞品であるメダルは、計数台１２上の計数機１０を経由して、メダル補給装置２内の下タンク２０に投入される。下タンク２０に投入されたメダルも、洗浄ユニット２２に投入されて、洗浄され、その後、メインリフト２４によって上方に揚送され、分配シュート２８を介して補給タンク３６に投入可能である。他のメダル補給装置から搬送された洗浄済みのメダルは、分岐ユニット２８によって補給タンク３６に投入可能である。
【００２１】
補給タンク３６に補給された洗浄済みのメダルは、スロットマシン６やメダル貸機８の上方にほぼ水平に、本体から延設されている補給コンベア３８上に搬送され、エンプティ信号を発生したスロットマシン６、メダル貸機８に分岐ユニット４０によって補給される。なお、スロットマシン６やメダル貸機８に補給されなかったメダルは、補給コンベヤ３８の他端部まで搬送された後、矢印で示す戻りシュートを介して回収コンベヤ１４に移される。
【００２２】
上タンク４２に貯留された洗浄済みのメダルは、上タンク４２の下部に設けられた排出手段、例えばベルトコンベア型の排出手段４４により払い出される。排出手段４４によって払い出された洗浄済みのメダルは、ジョッキ４６に投入される。ジョッキ４６に投入されずに、こぼれ落ちた洗浄済みのメダルは、シュート４８を介してメインリフト２４に供給される。
【００２３】
また、島渡しコンベヤ３４によって搬送されてきた未洗浄のメダルは、分岐ユニット３０を介して下タンク２０に投入される。
【００２４】
図２に示すように、制御部７０がメダル補給装置２に設けられている。制御部７０は、自島のスロットマシン６、メダル貸機８およびメダル計数機１０からのメダル回収及び補給、洗浄ユニット２２によるメダルの洗浄、他のメダル補給装置へのメダル補給などを制御する。制御部７０は、ＣＰＵ、メモリ、タイマー等からなる。制御部７０には、データ入出力装置７２が接続されている。制御部７０は、回収コンベア１４、中間コンベヤ１８、洗浄ユニット２２、メインリフト２４、上タンク４２、補給タンク３６、島渡しコンベア３２、３４、補給コンベア３８等に対する駆動手段からなる駆動手段群７４を、これらに設けたセンサからなるセンサ群７６からの信号を受けて制御する。制御部７０には、タッチパネル５４が接続され、各種条件の設定やエラーメッセージ等の表示を行う。
【００２５】
更に、制御部７０は、補給コンベア３８上に設置された複数の中継制御部５０と双方向通信を行い、各スロットマシン６及びメダル貸機８へのメダル補給制御を行う。さらに、満杯センサ６２、タンク引き出しセンサ６４、表示器６６が、各中継制御装置５０の内、最も右端に設置された中継制御部５０に直接接続されている。満杯センサ６２、タンク引き出しセンサ６４は、この中継制御部５０を経由してメダル補給装置本体２の制御部７０に信号を送信し、また、表示器６６は、この中継制御部５０を経由してメダル補給装置本体２の制御部７０から制御信号を受信し、発光制御される。なお、遊技島４は複数設けられており、各遊戯島４にあるメダル補給装置２の制御部７０は、互いに双方向通信を行い、メダル貯留量などのデータを共有しており、何れのメダル補給装置から何れのメダル補給装置にメダルを搬送するかを決定する。
【００２６】
回収コンベア１４、移動タンク６０を含む遊技媒体貯留システムは、通常運転時には、常に回収コンベア１４が正方向（図１の左方向）に駆動される。回収コンベア１４は、スロットマシン６から排出されるメダルや、補給コンベア３８の終端から戻されるメダルを回収し、メダル補給装置２に搬送し、貯留する通常回収処理を継続して実行する。
【００２７】
メダルをメダル補給装置２に回収できない場合には、メダルを移動タンク６０に回収する異常回収処理を実行する。その処理を図３の動作フローにより説明する。
【００２８】
通常運転中、制御部７０は、第１貯留手段すなわちメダル補給装置２のバケット１６、洗浄ユニット２２、補給タンク３６、上タンク４２が、メダルを受入れ可能な状態かどうか監視する（ステップＳ１）。メダルを受入れできない状態とは、たとえば、次のような状態である。
【００２９】
（ａ）中間コンベア１８の異常により、バケット１６のメダルが排出できない状態。
（ｂ）洗浄ユニット２２が異常により停止し、その上流側である中間コンベア１８も停止し、バケット１６のメダルが排出できない状態。
（ｃ）メインリフト２４が異常により停止し、その上流側である洗浄ユニット２２、中間コンベア１８も停止し、バケット１６のメダルが排出できない状態。
（ｄ）第１貯留手段（バケット１６、洗浄ユニット２２、補給タンク３６、上タンク４２）の貯留量が満杯の状態。
【００３０】
上記のいずれかの条件に該当したとき、第１貯留手段はメダルを受入れできない状態であると判断し、ステップＳ２で第２貯留手段の受入れ可能状態を判定する。第２貯留手段としての移動タンク６０が、メダルを受入れできない状態とは、次のような状態である。
【００３１】
（ｅ）満杯センサ６２により、移動タンク６０の貯留量が満杯であると判断される状態。
（ｆ）移動タンク６０が引き出されたことをタンク引き出しセンサ６４が検知し、移動ダンク６０がメダルを回収できる位置に設置されていないと判断される状態。
【００３２】
上記の（ｅ）（ｆ）のいずれかの条件に該当したとき、移動タンク６０もメダルを受入れできないので、ステップＳ３で、回収コンベア１４を停止する。
【００３３】
移動タンク６０がメダル受入れ可能なときは、ステップＳ４で回収コンベア１４を逆転し、回収コンベア１４上に排出されたメダルを移動タンク６０に回収する異常回収処理を開始する。
【００３４】
尚、上記の第１貯留手段がメダルを受入れできない状態の条件（ｄ）を、第１貯留手段の貯留量が満杯の場合としたが、たとえば、上タンク４２の貯留量が８０％以上となった場合に受入れ不能と判定しても良く、貯留量の条件は適宜設定可能である。
【００３５】
回収コンベア１４を逆転させる異常回収処理中の監視処理を図４の動作フローにより説明する。異常回収処理中は、ステップＳ１１で、第１貯留手段がメダルを受入れ可能な状態に復帰していないか常時監視する。復帰した場合には、ステップＳ１２で回収コンベア１４を正転方向への駆動に戻し、通常回収処理に戻す。
【００３６】
第１貯留手段がメダルを受入れ可能な状態に復帰していない場合には、移動タンク６０が満杯状態になっていないかチェックする。移動タンク６０が満杯になると、異常回収処理を続行できないので、ステップＳ１４で回収コンベア１４を停止する。このとき、表示装置６６が発光する。これに基づいて、係員が移動タンク６０を空の新たなものに交換する。この交換によって、新たな移動タンク６０へメダルを回収することが可能となる。
【００３７】
第２の実施形態の遊技媒体貯留システムを図５及び図６に示す。この遊技媒体貯留システムでは、図１の遊技媒体貯留システムの移動タンク６０に代えて、回収されて貯留したメダルを、回収コンベア１４に戻す返却手段を付加したものである。第１の実施形態と同一構成の部分には、同一符号を付して、その説明を省略する。
【００３８】
メダル補給装置２とは反対側の島端の妻板に接して、第２貯留手段としてのサブタンクユニット８０が設置されている。サブタンクユニット８０は箱形筐体とされ、上部にメダル計数機１０を載置する載置台としての機能も有している。また、サブタンクユニット８０の図面右側の側壁には、後述するタンク８２を引き出すための扉（図示せず）が設けられている。
【００３９】
サブタンクユニット８０の内部には回収したメダルを収容するタンク８２が設けられている。回収コンベア１４は、妻板を貫通してサブタンクユニット８０の内部まで延設されている。回収コンベア１４で回収搬送されてきたメダルは、揚送手段、例えばサブタンクリフト８６により揚送され、タンク８２に投入される。サブタンクリフト８６の下部に設けられたリフトシュート８４は、回収コンベア１４の右端部から排出されるメダルをサブタンクリフト８６の入口に集約させるものである。また、計数機１０で計数し、排出されたメダルも、落下口８８を経てタンク８２に投入される。
【００４０】
タンク８２の底面には排出口９０が形成され、タンク８２の上下方向の中途から排出口９０に向けて傾斜した形状とされている。排出口９０の下方には、搬送手段、例えば水平コンベア９２が横設されている。この水平コンベア９２は、停止状態では、排出口から落下するメダルを堰き止めるが、図の左方向に駆動されることにより、メダルを排出する。
【００４１】
水平コンベア９２によりタンク８２から排出されたメダルは、揚送手段、例えば傾斜コンベア９６により若干揚送され、回収コンベア１４に戻される。水平コンベア９２と傾斜コンベア９６とのメダルの受け渡しのために、傾斜コンベヤ９６の下端部にシュート９４を設けてもよく、傾斜コンベア９６と回収コンベア１４のメダル受渡しのために、回収コンベヤ１４の右端部の上部にシュート９８を設けても良い。
【００４２】
これら水平コンベア９２、傾斜コンベア９６が、サブタンクユニット８０に貯留したメダルを回収コンベア１４に戻す返却手段を構成している。
【００４３】
返却手段の他の実施形態として、傾斜コンベア９６を排出口９０の下方に近接させて、タンク８２から排出されるメダルを傾斜コンベア９６のみで回収コンベア１４に返却するようにしても良いし、回収コンベア１４より排出口９０の方が上方にある場合には、水平コンベア９２のみで返却手段を構成しても良い。
【００４４】
タンク８２には、メダルの貯留量を検知するためのセンサ１００ａ、１００ｂ、１００ｃが異なる高さ位置に設けられている。これらセンサ１００ａ、１００ｂ、１００ｃは、金属製のメダルの導電性を利用した導通センサとする他、近接センサ、圧力センサなど公知のセンサを利用できる。
【００４５】
サブタンクユニット８０の両側壁内面の上下中間付近に、スライドレール１０２が水平に配置されている。スライドレール１０２の上部には、タンク８２の両側壁外面の上下中間付近に形成した腕部（図示せず）が載置され、タンク８２がスライドレール１０２に沿って摺動し、サブタンクユニット８０からタンク８２を引き出し可能とされている。スライドレール１０２の奥部には、タンク引き出しセンサ１０４が設けられている。このセンサ１０４は、タンク８０がサブタンクユニット８０の所定位置にタンク８２が存在するか否かを検出するもので、タンク８２の側壁と接離することによりＯＮ／ＯＦＦするマイクロスイッチの他、タンク８２の存在を検知できる公知のセンサが利用可能である。
【００４６】
タンク８２の貯留状態や、サブタンクリフト８６、水平コンベア９２、傾斜コンベア９６の駆動状態などを表示する表示器１０６が、図５に示すように、計数機１０より高い位置で妻板に固定設置されている。
【００４７】
第２貯留手段としてサブタンクユニット８０を設けた場合の異常回収処理は、移動タンク６０を設けた場合の処理と基本的には同じである。異なる点は、異常回収処理の開始時には、回収コンベア１４を逆転する前に、サブタンクリフト８６を駆動させておく処理と、異常回収処理の終了時に、サブタンクリフト８６を停止させる処理とが追加されるのみであるので、詳細な説明は省く。
【００４８】
サブタンクユニット８０には、異常回収処理により回収コンベア１４から回収されたメダルと、計数機１０から投入されたメダルとが収容される。これらのメダルは、このままでは補給用メダルとしては使用できないので、サブタンクユニット８０に返却手段を設け、サブタンクユニット８０に貯留したメダルを回収コンベア１４に返却し、メダル補給装置２に再回収し、補給用メダルとして使用することができるようにしている。図７に、返却処理の概要を示す。
【００４９】
この処理では、ステップＳ２１で、第２貯留手段の貯留量を監視する。具体的には、タンク８２の貯留センサ１００ａ、１００ｂ、１００ｃの出力を監視し、例えば、貯留センサ１００ａがＯＮとなったら所定量以上の貯留量であると判定する。
所定量以上のメダルがあると判定されると、次に、ステップＳ２２で、回収コンベア１４が正転中（通常回収処理中）であるか判定する。
【００５０】
タンク８２に所定量以上のメダルが貯留されており、かつ、回収コンベア１４が正転駆動されている場合には、ステップＳ２３で返却手段を駆動し、返却処理を開始する。具体的には、傾斜コンベア９６、水平コンベア９２の順で返却手段を駆動し、タンク８２内のメダルを回収コンベア１４に排出する。
【００５１】
この返却処理は、ステップＳ２４で第２貯留手段がエンプティ（貯留センサ１００ｃがＯＦＦ）となったと判断されるか、ステップＳ２５で回収コンベア１４が正転駆動されていない（逆転または停止）状態と判断されるまで継続実行され、上記のいずれかに判断されるとステップＳ２６で返却手段が停止される。
【００５２】
以上の返却処理により、異常回収処理や計数機１０を通して第２貯留手段に回収したメダルを、メダル補給装置２に返却し、洗浄し、自島への補給用メダルとして使用したり、他の島への島間搬送用のメダルとして使用することができる。
【図面の簡単な説明】
【００５３】
【図１】本発明の第１の実施形態の遊技媒体貯留システムの概略構成図である。
【図２】図１の遊技媒体貯留システムのブロック図である。
【図３】図１の遊技媒体貯留システムの異常回収処理の動作フローチャートである。
【図４】図１の遊技媒体貯留システムの異常回収処理中の監視処理の動作フローチャートである。
【図５】本発明の第２の実施形態の遊技媒体貯留システムの概略構成図である。
【図６】図５の遊技媒体貯留システムが備えるサブタンクユニットの詳細な構成図である。
【図７】遊技媒体貯留システムの返却処理の動作フローチャートである。
【符号の説明】
【００５４】
２  メダル補給装置（貯留装置本体）
４  遊技島
６  スロットマシン（遊技媒体使用機）
８  メダル貸機（遊技媒体使用機）
１４  回収コンベヤ（コンベア手段）
１６  バケット（第１の貯留手段）
１８  中間コンベア（第１の貯留手段）
２２  洗浄ユニット（第１の貯留手段）
３６  補給タンク（第１の貯留手段）
４２  上タンク（第１の貯留手段）
６０  移動タンク（第２の貯留手段）
【図１】
2010057592.tif 000003
【図２】
2010057592.tif 000004
【図３】
2010057592.tif 000005
【図４】
2010057592.tif 000006
【図５】
2010057592.tif 000007
【図６】
2010057592.tif 000008
【図７】
2010057592.tif 000009